(57)【特許請求の範囲】
【請求項１】
第１基地局の方法において、
端末から少なくとも一つの地上波公共移動通信ネットワーク（ｐｕｂｌｉｃ  ｌａｎｄ  ｍｏｂｉｌｅ  ｎｅｔｗｏｒｋ；ＰＬＭＮ）アイデンティティーと、第２基地局の２次セルの前記端末の限定加入者グループ（ｃｌｏｓｅｄ  ｓｕｂｓｃｒｉｂｅｒ  ｇｒｏｕｐ；ＣＳＧ）メンバー状態とを受信する段階と、
前記２次セルを追加するための第１メッセージを前記第２基地局に伝送する段階と、
前記第１メッセージに対する応答である第２メッセージを前記第２基地局から受信する段階と、
前記受信されたＰＬＭＮアイデンティティーが端末の登録されたＰＬＭＮアイデンティティーあるいは同等のＰＬＭＮアイデンティティーであるのかを確認する段階と、
複数のＰＬＭＮアイデンティティーが前記確認を通過した場合、一つのＰＬＭＮアイデンティティーを選択する段階と、
前記端末に対するＣＳＧメンバー状態の検証を要請するための第３メッセージを移動性管理エンティティー（ｍｏｂｉｌｉｔｙ  ｍａｎａｇｅｍｅｎｔ  ｅｎｔｉｔｙ；ＭＭＥ）に伝送する段階と、
前記ＣＳＧメンバー状態の検証結果を含む第４メッセージを前記ＭＭＥから受信する段階と、を含み、
前記第１メッセージは、前記ＣＳＧメンバー状態を含み、
前記第３メッセージは、前記ＣＳＧメンバー状態を含むことを特徴とする方法。
【請求項２】
前記第３メッセージは、前記ＣＳＧメンバー状態と、前記２次セルのＣＳＧアイデンティティーと、前記ＰＬＭＮアイデンティティーとを含み、
前記ＣＳＧメンバー状態、前記ＣＳＧアイデンティティー、及び前記ＰＬＭＮアイデンティティーは、前記端末に対するメンバー状態の検証に用いられることを特徴とする、請求項１に記載の方法。
【請求項３】
前記端末は、前記端末が伝送したＣＳＧメンバー状態に応じて取り扱われる（ｔｒｅａｔ）ことを特徴とする、請求項１に記載の方法。
【請求項４】
前記第２基地局は、ハイブリッドアクセスＨｅＮＢを含むことを特徴とする、請求項１に記載の方法。
【請求項５】
移動性管理エンティティー（ｍｏｂｉｌｉｔｙ  ｍａｎａｇｅｍｅｎｔ  ｅｎｔｉｔｙ；ＭＭＥ）の方法において、
第２基地局の２次セルの端末に対するメンバー状態の検証を要請するための第１メッセージを第１基地局から受信する段階と、
限定加入者グループ（ｃｌｏｓｅｄ  ｓｕｂｓｃｒｉｂｅｒ  ｇｒｏｕｐ：ＣＳＧ）メンバー状態、ＣＳＧアイデンティティー、及び地上波公共移動通信ネットワーク（ｐｕｂｌｉｃ  ｌａｎｄ  ｍｏｂｉｌｅ  ｎｅｔｗｏｒｋ；ＰＬＭＮ）アイデンティティーに基づいて、前記ＣＳＧメンバー状態を検証する段階と、
前記ＣＳＧメンバー状態の検証結果を含む第２メッセージを前記第１基地局に伝送する段階と、を含み、
前記第１メッセージは、前記端末から伝送された前記端末の前記ＣＳＧメンバー状態と、前記ＣＳＧアイデンティティーと、前記ＰＬＭＮアイデンティティーとを含むことを特徴とする方法。
【請求項６】
前記ＰＬＭＮアイデンティティーは、前記端末の登録されたＰＬＭＮアイデンティティー又は同等のＰＬＭＮアイデンティティーを含み、
前記第２基地局は、ハイブリッドアクセスＨｅＮＢを含むことを特徴とする、請求項５に記載の方法。
【請求項７】
第２基地局の方法において、
第２基地局の２次セルを追加するための第１メッセージを第１基地局から受信する段階と、
前記第１メッセージに対する応答である第２メッセージを前記第１基地局に伝送する段階と、
限定加入者グループ（ｃｌｏｓｅｄ  ｓｕｂｓｃｒｉｂｅｒ  ｇｒｏｕｐ；ＣＳＧ）メンバー状態の検証前に、メンバー状態に応じて端末を取り扱う（ｔｒｅａｔ）段階と、
前記端末に対する前記ＣＳＧメンバー状態の検証の結果を含む第３メッセージを前記第１基地局から受信する段階と、を含み、
前記第１メッセージは、前記端末の前記ＣＳＧメンバー状態を含むことを特徴とする方法。
【請求項８】
前記第２基地局は、ハイブリッドアクセスＨｅＮＢを含むことを特徴とする、請求項７に記載の方法。
【請求項９】
第１基地局において、
送受信部と、
端末から少なくとも一つの地上波公共移動通信ネットワーク（ｐｕｂｌｉｃ  ｌａｎｄ  ｍｏｂｉｌｅ  ｎｅｔｗｏｒｋ；ＰＬＭＮ）アイデンティティーと、第２基地局の２次セルの前記端末の限定加入者グループ（ｃｌｏｓｅｄ  ｓｕｂｓｃｒｉｂｅｒ  ｇｒｏｕｐ；ＣＳＧ）メンバー状態とを受信し、前記２次セルを追加するための第１メッセージを前記第２基地局に伝送し、前記第１メッセージに対する応答である第２メッセージを前記第２基地局から受信し、前記受信されたＰＬＭＮアイデンティティーが端末の登録されたＰＬＭＮアイデンティティーあるいは同等のＰＬＭＮアイデンティティーであるのかを確認し、複数のＰＬＭＮアイデンティティーが前記確認を通過した場合、一つのＰＬＭＮアイデンティティーを選択し、前記端末に対するＣＳＧメンバー状態の検証を要請するための第３メッセージを移動性管理エンティティー（ｍｏｂｉｌｉｔｙ  ｍａｎａｇｅｍｅｎｔ  ｅｎｔｉｔｙ；ＭＭＥ）に伝送し、前記ＣＳＧメンバー状態の検証結果を含む第４メッセージを前記ＭＭＥから受信する制御部と、を含み、
前記第１メッセージは、前記ＣＳＧメンバー状態を含み、
前記第３メッセージは、前記ＣＳＧメンバー状態を含むことを特徴とする第１基地局。
【請求項１０】
前記第３メッセージは、前記ＣＳＧメンバー状態と、前記２次セルのＣＳＧアイデンティティーと、前記ＰＬＭＮアイデンティティーとを含み、
前記ＣＳＧメンバー状態、前記ＣＳＧアイデンティティー、及び前記ＰＬＭＮアイデンティティーは、前記端末に対するメンバー状態の検証に用いられ、
前記第２基地局は、ハイブリッドアクセスＨｅＮＢを含むことを特徴とする、請求項９に記載の第１基地局。
【請求項１１】
前記端末は、前記端末が伝送したＣＳＧメンバー状態に応じて取り扱われる（ｔｒｅａｔ）ことを特徴とする、請求項９に記載の第１基地局。
【請求項１２】
移動性管理エンティティー（ｍｏｂｉｌｉｔｙ  ｍａｎａｇｅｍｅｎｔ  ｅｎｔｉｔｙ；ＭＭＥ）において、
送受信部と、
第２基地局の２次セルの端末に対するメンバー状態の検証を要請するための第１メッセージを第１基地局から受信し、限定加入者グループ（ｃｌｏｓｅｄ  ｓｕｂｓｃｒｉｂｅｒ  ｇｒｏｕｐ；ＣＳＧ）メンバー状態、ＣＳＧアイデンティティー、及び地上波公共移動通信ネットワーク（ｐｕｂｌｉｃ  ｌａｎｄ  ｍｏｂｉｌｅ  ｎｅｔｗｏｒｋ；ＰＬＭＮ）アイデンティティーに基づいて、前記ＣＳＧメンバー状態を検証し、前記ＣＳＧメンバー状態の検証結果を含む第２メッセージを前記第１基地局に伝送する制御部と、を含み、
前記第１メッセージは、前記端末から伝送された前記端末の前記ＣＳＧメンバー状態と、前記ＣＳＧアイデンティティーと、前記ＰＬＭＮアイデンティティーとを含むことを特徴とするＭＭＥ。
【請求項１３】
前記ＰＬＭＮアイデンティティーは、前記端末の登録されたＰＬＭＮアイデンティティー又は同等のＰＬＭＮアイデンティティーを含み、
前記第２基地局は、ハイブリッドアクセスＨｅＮＢを含むことを特徴とする、請求項１２に記載のＭＭＥ。
【請求項１４】
第２基地局において、
送受信部と、
第２基地局の２次セルを追加するための第１メッセージを第１基地局から受信し、前記第１メッセージに対する応答である第２メッセージを前記第１基地局に伝送し、限定加入者グループ（ｃｌｏｓｅｄ  ｓｕｂｓｃｒｉｂｅｒ  ｇｒｏｕｐ；ＣＳＧ）メンバー状態の検証前に、メンバー状態に応じて端末を取り扱い（ｔｒｅａｔ）、前記端末に対する前記ＣＳＧメンバー状態の検証の結果を含む第３メッセージを前記第１基地局から受信する制御部と、を含み、
前記第１メッセージは、前記端末の前記ＣＳＧメンバー状態を含むことを特徴とする第２基地局。
【請求項１５】
前記第２基地局は、ハイブリッドアクセスＨｅＮＢを含むことを特徴とする、請求項１４に記載の第２基地局。
【発明の詳細な説明】
【技術分野】
【０００１】
本発明は、無線通信技術に関し、特に、小型セルシステムにおけるＵＥ(ｕｓｅｒｅ ｑｕｉｐｍｅｎｔ)の制御、課金及び位置指定のための方法に関する。
【背景技術】
【０００２】
現代の移動通信技術は高い送信速度でマルチメディアサービスを提供する傾向がある。図１はシステムアーキテクチャエボリューション(ｓｙｓｔｅｍ ａｒｃｈｉｔｅｃｔｕｒｅ ｅｖｏｌｕｔｉｏｎ；ＳＡＥ)システムアーキテクチャである。
【０００３】
図１で、ユーザ装置(ＵＥ)１０１はデータを受信する端末装置である。進化されたユニバーサル地上波無線アクセスネットワーク(ｅｖｏｌｖｅｄ ｕｎｉｖｅｒｓａｌ ｔｅｒｒｅｓｔｒｉａｌ ｒａｄｉｏ ａｃｃｅｓｓ ｎｅｔｗｏｒｋ；Ｅ-ＵＴＲＡＮ)１０２は、ＵＥに対する無線ネットワークインターフェースを提供するマクロ基地局(ｅＮｏｄｅＢ／ＮｏｄｅＢ)を含む無線アクセスネットワークである。移動性管理エンティティー(ｍｏｂｉｌｉｔｙ ｍａｎａｇｅｍｅｎｔｅｎｔｉｔｙ；ＭＭＥ)１０３は、ＵＥの移動性コンテクスト、セッションコンテクスト及び保安情報を管理する責任がある。サービングゲートウェイ(ｓｅｒｖｉｎｇ ｇａｔｅｗａｙ；ＳＧＷ)１０４は、主にユーザ平面を提供する責任があり、ＭＭＥ１０３及びＳＧＷ１０４は同一の物理的エンティティーに位置されることができる。パケットデータネットワークゲートウェイ(ｐａｃｋｅｔ ｄａｔａ ｎｅｔｗｏｒｋ ｇａｔｅｗａｙ；ＰＧＷ)１０５は、課金、合法的監聴(ｌａｗｆｕｌ ｉｎｔｅｒｃｅｐｔｉｏｎ)などのような機能を担当し、それはさらにＳＧＷ１０４と同一の物理的エンティティーに位置されることができ、政策及び課金規則機能(ｐｏｌｉｃｙ ａｎｄ ｃｈａｒｇｉｎｇ ｒｕｌｅｓ ｆｕｎｃｔｉｏｎ；ＰＣＲＦ)１０６はＱｏＳ政策及び課金規則を提供する。サービングＧＰＲＳサポートノード(ｓｅｒｖｉｎｇＧＰＲＳ ｓｕｐｐｏｒｔ ｎｏｄｅ；ＳＧＳＮ)１０８は、ユニバーサル移動通信システム(ｕｎｉｖｅｒｓａｌ ｍｏｂｉｌｅ ｔｅｌｅｃｏｍｍｕｎｉｃａｔｉｏｎｓ ｓｙｓｔｅｍ；ＵＭＴ)におけるデータ送信のためのラウティングを提供するネットワークノード装置である。ＨＳＳ(ｈｏｍｅ ｓｕｂ ｓｃｒｉｂｅｒ ｓｅｒｖｅｒ)１０９は、ユーザ装置の現在位置、サービングノードのアドレス、ユーザ保安情報、ユーザ装置のパケットデータコンテクストなどのようなユーザ情報を保護する責任があるＵＥのホームザブシステムである。
【０００４】
３ＧＰＰは、リリース１２(Ｒｅｌ-１２)の小型セル向上の要求事項を決める。図２に示されたように、小型セル向上のターゲットシナリオはマクロセルカバレッジを有するシナリオ及びマクロセルカバレッジを有しないシナリオ、室内及び室外シナリオと、理想的及び非理想的バックホール(ｂａｃｋｈａｕｌ)のための向上を含む。
【０００５】
マクロセルカバレッジがある状況で、相違する基地局間のキャリアアグリゲーション(ｃａｒｒｉｅｒ aｇｇｒｅｇａｔｉｏｎ)技術が開発されることができる。マクロセルと小型セルは相違する周波数帯域で作動することができる。相違する基地局間のキャリアアグリゲーション技術を用いるとき、２種のアーキテクチャ、すなわち、ユーザ平面データの無線アクセスネットワーク(ｒａｄｉｏ-ａｃｃｅｓｓ-ｎｅｔｗｏｒｋ；ＲＡＮ)に基づく個別アーキテクチャ及びコアネットワーク(ｃｏｒｅ-ｎｅｔｗｏｒｋ；ＣＮ)に基づく個別アーキテクチャがある。コアネットワークに基づく個別アーキテクチャは、ピコセルに設定されたベアラに対してデータがコアネットワークのＳＧＷによってピコセルへ直接送信され、ユーザ平面がマクロセルにより伝達されないだろうことを意味する。
【０００６】
小型セルアーキテクチャで、ＵＥは２個の基地局で同時にデータを送受信することができ、これは二重接続(ｄｕａｌ-ｃｏｎｎｅｃｔｉｖｉｔｙ)という。無線リソース制御(ＲＲＣ)メッセージをＵＥに送信する責任があり、コアネットワーク制御エンティティーと相互作用する責任がある基地局のうちの一つは、マスター基地局ＭｅＮＢと言い、他の基地局は２次(ｓｅｃｏｎｄａｒｙ)基地局ＳｅＮＢである。ＵＥの１次セルＰｃｅｌｌであるＵＥに対するマスター基地局でのセルがあり、ＲＲＣメッセージは１次セルを介してＵＥに送信され、他のセルは２次セルＳｃｅｌｌｓである。２次基地局のＳｃｅｌｌｓのうちで、Ｓｃｅｌｌは(ｐＳｃｅｌｌの機能を有する)２次基地局の１次セルｐＳｃｅｌｌである。ｐＳｃｅｌｌにはアップリンク物理的階層の制御チャンネルがあり、他のＳｃｅｌｌｓにはアップリンク物理的階層の制御チャンネルはない。マスター基地局のセルグループはマスターセルグループ(ＭＣＧ)であり、２次基地局のセルグループは２次セルグループ(ＳＣＧ)である。
【発明の概要】
【発明が解決しようとする課題】
【０００７】
小型セルアーキテクチャにおける基地局はマクロ基地局ｅＮＢであるか、ホーム基地局ＨｅＮＢであることがある。２次基地局がＨｅＮＢである状況で、２次基地局のセルにベアラを追加する方法と、２次基地局のセルにベアラを追加する時のＵＥに対するアクセス制御及びメンバー認証を行う方法は通常の技術において解決されない問題である。
【０００８】
一方、ＵＥを課金して位置指定する方法は、通常の技術において解決されない問題である。
【課題を解決するための手段】
【０００９】
小型セルシステムにおけるユーザ装置(ＵＥ)の制御、課金及び位置指定のための方法は、本発明により提供される。本発明の方法によれば、適当なアクセス制御及びメンバー検証(ｍｅｍｂｅｒ ｖａｌｉｄａｔｉｏｎ)はＵＥに対して行われることができ、適当な課金及び位置指定はＵＥに対して行われることができ、これはユーザ経験を改善させる。
【００１０】
ＵＥを制御するための方法は、
マスター基地局が２次セルでＵＥのＣＳＧ(ｃｌｏｓｅｄ ｓｕｂｓｃｒｉｂｅｒ ｇｒｏｕｐ)メンバー状態を２次基地局に送信する段階と、
マスター基地局が２次セルのＣＳＧアイデンティティーと、２次基地局の２次セルでＵＥをサービングするＵＥに対して選択されたＰＬＭＮアイデンティティーを移動性管理エンティティー(ＭＭＥ)に送信する段階と、
ＭＭＥが２次セルのＵＥのＣＳＧメンバー状態を検証する段階と、
ＭＭＥが検証されたＣＳＧメンバー状態をマスター基地局に送信する段階と、及び
好ましくは、検証されたＣＳＧメンバー状態が２次セルのＵＥのＣＳＧメンバー状態と一致しない場合にマスター基地局が検証されたＣＳＧメンバー状態を２次基地局に送信する段階と、を含む。
【００１１】
好ましくは、ＭＭＥは２次セルのＣＳＧアイデンティティーと、２次基地局の２次セルでＵＥをサービングするＰＬＭＮアイデンティティーによってＵＥに対するメンバー検証を行う。
【００１２】
好ましくは、２次基地局のセルでＵＥをサービングするＵＥに対するマスター基地局によって選択されたＰＬＭＮアイデンティティーがマスター基地局のセルでＵＥをサービングするＵＥに対するマスター基地局によって選択されたＰＬＭＮアイデンティティーと一致しない場合、マスター基地局は２次基地局の２次セルでＵＥをサービングするＵＥに対して選択されたＰＬＭＮアイデンティティーをＭＭＥに送信する。
【００１３】
好ましくは、方法は、
ベアラがハンドオーバーされるターゲットセルのＰＬＭＮアイデンティティー又はＣＳＧアイデンティティー若しくはＣＳＧメンバー状態がソースセルのことと一致しない場合、ＭＭＥはターゲットセルのＰＬＭＮアイデンティティー、及び／又はＣＳＧアイデンティティー、及び／又はＣＳＧメンバー状態をサービングゲートウェイ(ＳＧＷ)及びパケットデータネットワークゲートウェイ(ＰＧＷ)に送信する段階と、をさらに含む。
【００１４】
小型セルシステムにおいてＵＥを課金して位置指定するための方法は、ベアラを課金して位置指定するために
マスター基地局はＵＥの各ベアラが位置される２次セルのセルアイデンティティー及び／又はＴＡＩをＭＭＥに送信する段階と、及び
ＭＭＥは各ベアラが位置されるセルのセルアイデンティティー及び／又はＴＡＩ及び／又はベアラアイデンティティーをＳＧＷ及び／又はＰＧＷに送信する段階と、を含むことを特徴とする。
【００１５】
小型セルシステムにおいてＵＥを課金して位置指定するための方法は、２次基地局における１次の２次セル(ｐｒｉｍａｒｙ ｓｅｃｏｎｄａｒｙ ｃｅｌｌ ｉｎ  a ｓｅｃｏｎｄａｒｙｂａｓｅ ｓｔａｔｉｏｎ；ｐＳｃｅｌｌ)を課金して位置指定するために、
マスター基地局はＵＥの２次基地局におけるｐＳｃｅｌｌのセルアイデンティティー及び／又はＴＡＩと２次基地局におけるＵＥのベアラのベアラアイデンティティーをＭＭＥに送信する段階と、及び
ＭＭＥは各ベアラが位置されるセルのセルアイデンティティー及び／又はＴＡＩをＳＧＷ及び／又はＰＧＷに送信する段階と、を含むことを特徴とする。
【００１６】
好ましくは、方法は、２次基地局がｐＳｃｅｌｌのセルアイデンティティーをマスター基地局に送信する段階と、をさらに含む。
【００１７】
小型セルシステムにおいてＵＥを課金して位置指定するための方法は、マスター基地局の１次セルによって課金及び位置指定を行い、
マスター基地局がマスター基地局の１次セルのセルアイデンティティー及びＴＡＩをＭＭＥに送信する段階と、及び
ＭＭＥはマスター基地局の１次セルのセルアイデンティティー及び／又はＴＡＩをＳＧＷ／ＰＧＷに送信する段階と、を含む。
【００１８】
上述した技術的ソリューションから分かるように、小型セルシステムにおけるＵＥの制御、課金及び位置指定のための方法によれば、ＵＥは適切に２次セルにアクセスすることができ、アクセス制御及びメンバー検証、課金及び位置指定はＵＥに対して適切に行われることができ、これはユーザ経験を改善させる。
【図面の簡単な説明】
【００１９】
【図１】通常のＳＡＥシステムアーキテクチャである。
【図２】小型セル向上配置シナリオである。
【図３】本発明によって小型セルシステムにおけるＵＥの制御、課金及び位置指定のための方法の概路図である。
【図４】本発明の実施形態１によって小型セルシステムにおけるＵＥの制御、課金及び位置指定のための方法の概路図である。
【図５】本発明の実施形態２によって小型セルシステムにおけるＵＥの制御、課金及び位置指定のための方法の概路図である。
【図６】本発明によって小型セルシステムにおけるＵＥの課金及び位置指定のための方法１の概路図である。
【図７】本発明によって小型セルシステムにおけるＵＥの課金及び位置指定のための方法２の概路図である。
【発明を実施するための形態】
【００２０】
本発明の目的、技術的ソリューション及び利点は、本出願が以下の図面を参照して更なる説明された後、よりよく理解されるだろう。
【００２１】
図３は、本発明によって小型セルシステムにおけるＵＥの制御、課金及び位置指定のための方法の概路図である。方法は次のプロセスを含む。
【００２２】
段階３０１で、マスター基地局は２次基地局のセルでのＵＥのＣＳＧメンバー状態を２次基地局に送信する。マスター基地局が２次基地局のセルを追加したり２次基地局のセルを修正する場合にマスター基地局は２次基地局のセルでのＵＥのＣＳＧメンバー状態を２次基地局に送信する。マスター基地局は２次セルグループ(ＳＣＧ)コマンド又は２次ｅＮＢ追加又は修正メッセージを介して２次基地局の２次セルでのＵＥのＣＳＧメンバー状態を２次基地局に送信することができる。
【００２３】
マスター基地局はＵＥから２次セルでのＵＥのＣＳＧメンバー状態情報を受信する。マスター基地局はＸ２設定手続き又は操作及びメンテナンス(ｏｐｅｒａｔｉｏｎｓ ＆ ｍａｉｎｔｅｎａｎｃｅ；Ｏ＆Ｍ)を介してＵＥから２次セルのＣＳＧアイデンティティーを獲得する。
【００２４】
２次基地局がホーム基地局の場合、マスター基地局は次の３つの状況で２次基地局のセルを２次セルグループとして追加することができる：
【００２５】
ホーム基地局のセルが開放モードにあったり、ホーム基地局のセルがハイブリッドアクセスモードあったり、ホーム基地局のセルがＣＳＧモードにあり、ホーム基地局のセルとベアラがハンドオーバーされるソースセルは同一のＣＳＧに属する。
【００２６】
本方法において、ホーム基地局のセルがＣＳＧモードにあり、ホーム基地局のセルとマスター基地局の１次セルが同一のＣＳＧに属する場合、２次基地局のセルはさらに２次セルグループに追加されることができる。同一のＣＳＧに属する２個のセルは２個のセルによってブロードキャストされたＣＳＧアイデンティティーが同じで、２個のセルによってブロードキャストされた地上波公共移動通信ネットワーク(ｐｕｂｌｉｃ ｌａｎｄ ｍｏｂｉｌｅ ｎｅｔｗｏｒｋ；ＰＬＭＮ)アイデンティティー(ＩＤ)は同一のＰＬＭＮＩＤを含むことを意味する。
【００２７】
ホーム基地局のセルがハイブリッドアクセスモードにあるとき、マスター基地局はホーム基地局のセルでのＵＥのＣＳＧメンバー状態を２次基地局に送信する。
【００２８】
マスター基地局は構成又はＸ２設定手続きに応じて、又はＵＥから２次基地局のセルのアクセスモードが分かっている。
【００２９】
２次基地局が２次セルの追加又は修正を収容する場合、２次基地局は成功的な応答をマスター基地局に送信する。
【００３０】
２次基地局は受信されたＣＳＧメンバー状態によってＵＥを扱う。２次基地局はＵＥをハンドオーバーするか否かを判断するためにＣＳＧメンバーと非ＣＳＧメンバーの間を区別することができ、これは保証されたビットレート(ｇｕａｒａｎｔｅｅｄ ｂｉｔ ｒａｔｅ；ＧＢＲ)ベアラが収容されたり、ＧＢＲベアラが削除される。２ジ基地局は無線インターフェースを介して非ＧＢＲベアラに対するデータスケジューリングを決めるためにＣＳＧメンバーと非ＣＳＧメンバーを区別することができる。
【００３１】
段階３０２で、マスター基地局は２次セルのＣＳＧのＩＤ、ＣＳＧメンバー状態、及び２次セルでＵＥをサービングするＰＬＭＮＩＤをＭＭＥに送信する。
【００３２】
２次セルがハイブリッドアクセスモードにある時にだけＣＳＧメンバー状態は含まれる必要があり、２次セルとマスター基地局の１次セル又はベアラがハンドオーバーされるソースセルは相違するＣＳＧに属する。相違するＣＳＧに属する２個のセルは２個のセルのＣＳＧアイデンティティーが相違したり２個のセルが同一のＰＬＭＮＩＤをブロードキャストしなかったり、セルのいずれかはＣＳＧ又はハイブリッドセルであるが他のセルは開放モードにあるということを意味する。
【００３３】
２次セルのベアラの成功的設定又は修正が段階３０１で受信されると、マスター基地局は情報をＭＭＥに送信することができる。
【００３４】
２次基地局のセルが多数のＰＬＭＮアイデンティティーをブロードキャストする場合、マスター基地局は２次基地局のセルのＵＥをサービングするＰＬＭＮのＰＬＭＮＩＤを選択する。
【００３５】
２次基地局の２次セルがＣＳＧセルであるか、ハイブリッドアクセスモードにあり、ＣＳＧメンバーセルという状況でＵＥはＰＬＭＮＩＤリストをマスター基地局に送信する。ＰＬＭＮＩＤリストは２次基地局の２次セルによってブロードキャストされたＰＬＭＮＩＤのうちで、ＵＥのｒＰＬＭＮＩＤ又はｅＰＬＭＮＩＤであるＰＬＭＮＩＤのリストであり、２次セルによってブロードキャストされたＰＬＭＮＩＤ及びＣＳＧＩＤはＵＥによってアクセスされることができるＣＳＧリストにある。ＵＥの報告によると、マスター基地局はＵＥによって報告されたＰＬＭＮＩＤがＵＥの登録されたＰＬＭＮアイデンティティーｒＰＬＭＮＩＤであるか、ＵＥの同等のＰＬＭＮアイデンティティーｅＰＬＭＮＩＤであることを検証し、２次基地局の２次セルでのＵＥをサービングするＰＬＭＮのＰＬＭＮＩＤに検証を伝達するＩＤを選択する。
【００３６】
２次基地局の２次セルが開放モード又はハイブリッドアクセスモードにあり、ＣＳＧメンバーセルではない状況で、マスター基地局はＵＥの報告(例えば、自動隣接関係(ａｕｔｏｍａｔｉｃ ｎｅｉｇｈｂｏｒ ｒｅｌａｔｉｏｎ；ＡＮＲ))による２次セル又はＸ２設定又はＯ＆Ｍ構成によってブロードキャストされたＰＬＭＮＩＤリストが分って、マスター基地局は２次基地局の２次セルでのＵＥをサービングするＰＬＭＮのＰＬＭＮＩＤとなるように２次セルによってブロードキャストされたＰＬＭＮからＵＥのｒＰＬＭＮＩＤ又はｅＰＬＭＮＩＤであるＰＬＭＮアイデンティティーを選択する。
【００３７】
マスター基地局は２次基地局のセルでのＵＥをサービングするＰＬＭＮのＰＬＭＮアイデンティティーを２次基地局に送信する。
【００３８】
マスター基地局は２次基地局のセルでのＵＥをサービングするＰＬＭＮのＰＬＭＮアイデンティティーを経路スイッチリクエストメッセージ又はＥＲＡＢ修正指示メッセージを介してＭＭＥに送信することができる。複数の２次セルが存在し、それぞれの２次セルでのＵＥをサービングするＰＬＭＮアイデンティティーが相違する場合、マスター基地局は各２次セルに対応するＣＳＧアイデンティティー及びＰＬＭＮアイデンティティーをＭＭＥに送信することができる。
【００３９】
２次基地局の２次セルでのＵＥをサービングするＰＬＭＮのＰＬＭＮアイデンティティーがマスター基地局の１次セルのことと同様の場合、マスター基地局はただ２次基地局の２次セルのＣＳＧアイデンティティーをＭＭＥに送信することができる。ＭＭＥは２次基地局の２次セルでのＵＥをサービングするＰＬＭＮがＰＬＭＮアイデンティティーが存在しないことによってｒＰＬＭＮであることが分かる。
【００４０】
２次基地局の２次セルでのＵＥをサービングするＰＬＭＮのＰＬＭＮアイデンティティーはベアラがハンドオーバーされるソースセルのことと同様の場合、マスター基地局はただ２次基地局の２次セルのＣＳＧアイデンティティーをＭＭＥに送信することができる。ＭＭＥは２次基地局の２次セルでのＵＥをサービングするＰＬＭＮアイデンティティーがどんなＰＬＭＮアイデンティティーも存在しないことによってベアラがハンドオーバーされるソースセルでのＵＥをサービングするＰＬＭＮＩＤと同じであることを分かる。
【００４１】
小型セルアーキテクチャで、ネットワークは相違するＥＲＡＢに対する相違の課金及び位置指定を行うことができる。このような種類のメカニズムをサポートするため、マスター基地局はさらにベアラがハンドオーバーされるターゲットセルのセルアイデンティティー及びＴＡＩをＭＭＥに通知する。ＴＡＩは２次基地局のセルのＵＥをサービングするＰＬＭＮアイデンティティーを含むことができる。この場合、それは上記の単一ＰＬＭＮアイデンティティーを繰り返して送信する必要がないことがある。
【００４２】
段階３０３で、ＭＭＥは２次セルのＵＥのメンバー状態を検証する。ＭＭＥは２次セルのＰＬＭＮアイデンティティー及びＣＳＧアイデントティによるＵＥのメンバー状態を検証する。２次セルのＰＬＭＮアイデンティティーはマスター基地局から受信された２次セルのＰＬＭＮアイデンティティーであり、それは２次セルによってブロードキャストされたＰＬＭＮアイデンティティーであることができるか、或いは２次セルによってブロードキャストされたＰＬＭＮアイデンティティーからマスター基地局により選択された２次セルのＵＥをサービングするＰＬＭＮアイデンティティーであることができる。
【００４３】
小型セルアーキテクチャで、ネットワークは相違するＥＲＡＢに対する相違の課金及び位置指定を行うことができる。このような種類のメカニズムをサポートするため、ベアラがハンドオーバーされるターゲットセルのＰＬＭＮアイデンティティー又はＣＳＧアイデンティティー若しくはＣＳＧメンバー状態はソースセルのことと同じではない場合、ネットワークがそれぞれのベアラに対する相違の課金及び位置指定を行うようにＭＭＥはターゲットセルのＰＬＭＮアイデンティティー及び／又はＣＳＧアイデンティティー及び／又はＣＳＧメンバー状態をＳＧＷ及びＰＧＷに送信する。相違するＣＳＧアイデンティティーはターゲットセル及びソースセルの全てがＣＳＧアイデンティティーを有し、ＣＳＧアイデンティティーが相違する状況と、ターゲットセル及びソースセルのいずれか１つがＣＳＧアイデンティティーを有するが、他の一つは有しない、すなわち開放モードにある状況を含む。
【００４４】
小型セルアーキテクチャで、ネットワークは相違するＥＲＡＢに対する相違の課金及び位置指定を行うことができる。このような種類のメカニズムをサポートするため、ネットワークがそれぞれのベアラに対する相違する課金及び位置指定を行うようにＭＭＥはターゲットセルのセルアイデンティティー及びＴＡＩをＳＧＷ及びＰＧＷに送信する。
【００４５】
段階３０４で、ＭＭＥは２次セルでのＵＥの検証されたＣＳＧメンバー状態をマスター基地局に送信する。ベアラがハンドオーバーされるターゲットセルがハイブリッドセルであり、ターゲットセル及びソースセルが相違するＣＳＧに属したりソースセルがＣＳＧアイデンティティーを有しない状況でＭＭＥは２次セルでのＵＥの検証されたＣＳＧメンバー状態をマスター基地局に送信することができる。
【００４６】
マスター基地局はＵＥの検証されたＣＳＧメンバー状態を２次基地局に送信する。マスター基地局は２次セルのＵＥの検証されたＣＳＧメンバー状態を常に２次基地局に送信することができるか、或いはＵＥの検証されたＣＳＧメンバー状態が段階３０１から送信されたことと相違する場合に検証されたＣＳＧメンバー状態を２次基地局に送信することができる。
【００４７】
上述した方法によれば、ターゲットセルがホーム基地局のセルであれば、ネットワークがＵＥに対する適切な課金及び位置指定を行うように適切なアクセス制御又はメンバー検証がＵＥに対して行われることができる。
【００４８】
図４は、本発明の実施形態１によって小型セルシステムにおけるＵＥの制御、課金及び位置指定のための方法の概路図である。方法は次の段階を含む。
【００４９】
段階４０１で、マスター基地局はＵＥの測定報告を受信し、マスター基地局はどんなベアラを２次基地局のセルでハンドオーバーするように決定し、これはベアラをマスター基地局から２次基地局にハンドオーバーしたりベアラを一つの２次基地局から新しい２次基地局にハンドオーバーすることを含む。ソース２次基地局から新しい２次基地局にベアラをハンドオーバーする状況の場合、マスター基地局とソース２次基地局の間へのハンドオーバーのプロセスは省略される。多数のベアラはハンドオーバーされることができ、多数のベアラをハンドオーバーする方法は一つのベアラをハンドオーバーすることと同様である。本明細書で一つのベアラは例示のために用いられる。
【００５０】
２次基地局がホーム基地局の開放モード、又はハイブリッドアクセスモード若しくはＣＳＧモードにあり、２次基地局のセルとベアラがハンドオーバーされるソースセルが同様のＣＳＧにある状況で、２次セルはＵＥの２次セルグループに追加されることができる。本発明の方法で、２次基地局のセルとマスター基地局の１次セルが同様のＣＳＧに属する時、２次セルはＵＥの２次セルグループに追加されることができる。
【００５１】
マスター基地局が２次基地局のセルのアクセスモードを獲得する方法、アクセスモードがＣＳＧ又はハイブリッドアクセスモードの場合に２次基地局のセルのＣＳＧアイデンティティーを獲得する方法、及びＵＥからハイブリッド２次セルのＵＥのＣＳＧメンバー状態を獲得する方法は段階３０１でのことと同じで、これは本明細書で詳しく説明されないだろう。
【００５２】
段階４０２で、マスター基地局は２次セルの設定リクエストメッセージを２次基地局に送信する。メッセージはさらに２次基地局のセルでベアラを設定するために用いられる２次ｅＮＢ追加リクエストであることができる。
【００５３】
２次基地局の新しいセルがハイブリッドセルの場合、マスター基地局は２次基地局のセルのＵＥのＣＳＧメンバー状態を２次基地局に送信する。マスター基地局はＵＥから２次セルでのＵＥのＣＳＧメンバー状態を獲得する。
【００５４】
２次基地局のセルが多数のＰＬＭＮアイデンティティーをブロードキャストする場合、マスター基地局は２次基地局のセルのＵＥをサービングするＰＬＭＮアイデンティティーを選択する。詳細な選択方法は段階３０２でのことと同じで、これは本明細書で詳しく説明されないだろう。マスター基地局は選択されたＰＬＭＮアイデンティティーを２次基地局に送信する。
【００５５】
段階４０３で、２次基地局はＳｃｅｌｌ設定応答又はＳｅＮＢ追加肯定応答メッセージをマスター基地局に送信する。
【００５６】
段階４０４で、マスター基地局はＵＥを再構成する。
【００５７】
段階４０５で、マスター基地局は経路スイッチリクエストメッセージをＭＭＥに送信する。メッセージはさらにベアラハンドオーバーに用いられる他のメッセージであることができる。メッセージはベアラがハンドオーバーされるターゲットセルのＣＳＧアイデンティティー、及びターゲットＳｃｅｌｌでＵＥのために選択されるＰＬＭＭアイデンティティーを含む。メッセージはさらにベアラがハンドオーバーされるターゲットセルのセルアイデンティティー及び／又は追跡領域アイデンティティー(ｔｒａｃｋｉｎｇ ａｒｅａ ｉｄｅｎｔｉｔｙ；ＴＡＩ)を含むことができる。
【００５８】
多数のベアラがそれぞれ２次基地局の多数のセルでハンドオーバーされ、それぞれのセルでのＵＥをサービングするＰＬＭＮアイデンティティーが相違することができる場合、マスター基地局はそれぞれのセルに対応するＰＬＭＮアイデンティティーをＭＭＥに送信することができる。
【００５９】
多数のベアラが２次基地局の多数のセルでハンドオーバーされ、各セルのＣＳＧアイデンティティーが相違することができる場合、マスター基地局はそれぞれのセルに対応するＣＳＧアイデンティティーをＭＭＥに送信することができる。
【００６０】
多数のベアラがそれぞれ２次基地局の多数のセルでハンドオーバーされ、各セルのＣＳＧが相違することができる場合、マスター基地局はそれぞれのセルに対応するＣＳＧアイデンティティー及びＰＬＭＮアイデンティティーをＭＭＥに送信することができる。
【００６１】
２次基地局の２次セルでのＵＥをサービングするＰＬＭＮのＰＬＭＮアイデンティティーがマスター基地局の１次セルのことと同じである場合、マスター基地局はただ２次基地局の２次セルのＣＳＧアイデンティティーをＭＭＥに送信することができる。ＭＭＥは２次基地局の２次セルでのＵＥをサービングするＰＬＭＮアイデンティティーが存在しないことによってマスター基地局の１次セルのｒＰＬＭＮＩＤであることが分かる。
【００６２】
２次基地局の２次セルでのＵＥをサービングするＰＬＭＮのＰＬＭＮアイデンティティーはベアラがハンドオーバーされるソースセルのことと同じである場合、マスター基地局はただ２次基地局の２次セルのＣＳＧアイデンティティーをＭＭＥに送信することができる。ＭＭＥは２次基地局の２次セルでのＵＥをサービングするＰＬＭＮアイデンティティーがどんなＰＬＭＮアイデンティティーも存在しないことによってベアラがハンドオーバーされるソースセルのＰＬＭＮアイデンティティーと同じであることを分かる。
【００６３】
小型セルアーキテクチャで、ネットワークは相違するＥＲＡＢに対する相違する課金及び位置指定を行うことができる。このような種類のメカニズムをサポートするため、マスター基地局はさらにベアラがハンドオーバーされるターゲットセルのセルアイデンティティー及びＴＡＩをＭＭＥに通知する。ＴＡＩは２次基地局のセルのＵＥをサービングするＰＬＭＮアイデンティティーを含むことができる。このような状況で、それは上記の単一のＰＬＭＮアイデンティティーを繰り返して送信する必要がないことがある。
【００６４】
ＭＭＥは２次セルのＵＥのメンバー状態を検証する。ＭＭＥは２次セルのＰＬＭＮアイデンティティー及びＣＳＧアイデントティによるＵＥのメンバー状態を検証する。詳細な方法は段階３０３でのことと同じで、本明細書で詳しく説明されないだろう。
【００６５】
段階４０６で、ＭＭＥは修正ベアラリクエストメッセージをＳＧＷ／ＰＧＷに送信する。
【００６６】
小型セルアーキテクチャで、ネットワークは相違するＥＲＡＢに対する相違する課金を行うことができる。このような種類のメカニズムをサポートするため、ベアラがハンドオーバーされるターゲットセルのＰＬＭＮアイデンティティー又はＣＳＧアイデンティティー又はＣＳＧメンバー状態はソースセルのことと相違する場合、ネットワークがそれぞれのベアラに対する相違する課金を行うようにＭＭＥはベアラがハンドオーバーされるターゲットセルのＰＬＭＮアイデンティティー及び／又はＣＳＧアイデンティティー及び／又はＣＳＧメンバー状態をＳＧＷ及びＰＧＷに送信する。
【００６７】
小型セルアーキテクチャで、ネットワークは相違するＥＲＡＢに対する相違の課金及び位置指定を行うことができる。このような種類のメカニズムをサポートするため、相違の課金及び位置指定がネットワークで各ベアラに対して行われることができるようにＭＭＥはターゲットセルのセルアイデンティティー及びＴＡＩをＳＧＷ及びＰＧＷに送信する。
【００６８】
段階４０７で、ＳＧＷ／ＰＧＷは修正ベアラ応答メッセージをＭＭＥに送信する。
【００６９】
段階４０８で、ＭＭＥは経路スイッチリクエスト肯定応答メッセージをマスター基地局に送信する。メッセージはベアラハンドオーバーに対する他の応答メッセージであることができる。メッセージはＣＳＧメンバー状態を含み、ＣＳＧメンバー状態はＭＭＥによって検証されたメンバー状態である。ベアラがハンドオーバーされるターゲットセルがハイブリッドセルであり、ターゲットセル及びソースセルが相違するＣＳＧに属したり、ベアラがハンドオーバーされるターゲットセルがハイブリッドセルであり、ソースセルは開放モードにある場合にＭＭＥは２次セルでのＵＥの検証されたメンバー状態をマスター基地局に送信することができる。
【００７０】
段階４０９で、マスター基地局はＳｃｅｌｌ修正リクエストメッセージを２次基地局に送信する。Ｓｃｅｌｌ修正リクエストメッセージはＣＳＧメンバー状態を含む。ＣＳＧメンバー状態はＭＭＥから受信される検証されたＣＳＧメンバー状態である。マスター基地局は常にＵＥの検証されたＣＳＧメンバー状態を２次基地局に送信することができるか、或いはＵＥの検証されたＣＳＧメンバー状態が段階４０２から送信されたことと相違する場合には検証されたＣＳＧメンバー状態を２次基地局に送信することができる。
【００７１】
段階４１０で、２次基地局はＳｃｅｌｌ修正応答メッセージをマスター基地局に送信する。本方法で、このような段階は必須ではない。
【００７２】
ターゲットセルがホーム基地局セルである時、図４で処理方法を提供すれば、適切なアクセス制御及びメンバー検証はネットワークがＵＥに対して適切な課金及び位置指定を行うようにＵＥに対して行われることができる。
【００７３】
図５は、本発明の実施形態２によって小型セルシステムにおけるＵＥの制御、課金及び位置指定のための方法の概路図である。方法は次の段階を含む。
【００７４】
段階５０１で、ＭＭＥはどんなセル又はどんなＣＳＧでＵＥのＣＳＧメンバー状態をマスター基地局に通知するためにＵＥコンテクスト修正リクエストメッセージをマスター基地局に送信する。ＭＭＥはＵＥメンバー状態がＵＥの加入情報のアップデートによるどんなＣＳＧ下にメンバーと非メンバーの間で変更されることを見つけ、ＭＭＥはこれを基地局に通知する必要がある。ＭＭＥは対応するセルアイデンティティー及びアップデートされたＣＳＧメンバー状態を基地局に通知したり、ＭＭＥはＰＬＭＮＩＤ、ＣＳＧＩＤ及びアップデートされたＣＳＧメンバー状態を基地局に通知する。ＣＳＧモードはＣＳＧアクセスモード及びハイブリッドアクセスモードであるセルアクセスモードを含む。
【００７５】
段階５０２で、マスター基地局はＵＥコンテクスト修正応答メッセージをＭＭＥに送信する。
【００７６】
段階５０３で、マスター基地局はＳｃｅｌｌでＵＥのＣＳＧメンバー状態のアップデート情報を受信する。ＳｃｅｌｌがＣＳＧセルであり、ＵＥがＳｃｅｌｌでメンバーから非メンバーに変更する場合、マスター基地局はＳｃｅｌｌでベアラを削除し、ベアラを他のセルでハンドオーバーする。
【００７７】
Ｓｃｅｌｌがハイブリッドモードセルの場合、マスター基地局はＳｃｅｌｌ修正リクエストを２次基地局に送信する。メッセージはＣＳＧメンバー状態を含み、メンバー状態はアップデートされたメンバー状態を示す。Ｓｃｅｌｌ修正リクエストはさらに２次セルのセルアイデンティティーを含む。
【００７８】
段階５０２及び段階５０３は決定的な手順ではない。
【００７９】
段階５０４で、２次基地局はＳｃｅｌｌ修正応答メッセージをマスター基地局に送信する。
【００８０】
本発明の方法で、このような段階は必須なことではない。
【００８１】
図５に与えられた処理方法により、基地局はアップデートされたＣＳＧメンバー状態を得るために時間に合わせてアップデートされ、ＵＥは適切に制御されてスケジューリングされる。
【００８２】
図６は、本発明によって小型セルシステムにおけるＵＥの課金及び位置指定のための方法１の概路図である。方法は次の段階を含む。
【００８３】
段階６０１で、マスター基地局はＵＥのベアラが位置される２次セルのセルアイデンティティー及び／又はＴＡＩをＭＭＥに送信する。マスター基地局は既存のメッセージを介してマスター基地局の１次セルのセルアイデンティティー及び／又はＴＡＩをＭＭＥに送信する。マスター基地局は各ベアラが位置されるＳｃｅｌｌのセルアイデンティティー及び／又はＴＡＩをＥＲＡＢ設定リストを介してＭＭＥに送信する。ＥＲＡＢ設定リストは設定される各ＥＲＡＢに対する情報、例えば、ＥＲＡＢが位置されるセルのＥＲＡＢアイデンティティー、セルアイデンティティー及び／又はＴＡＩを含む。
【００８４】
段階６０２で、ＭＭＥは各ベアラが位置されるセルのセルアイデンティティー及び／又はＴＡＩ及び／又はベアラアイデンティティーをＳＧＷ／ＰＧＷに送信する。
【００８５】
どんなＥＲＡＢが位置されるセルのセルアイデンティティー及び／又はＴＡＩが変更されると、マスター基地局はどんなＥＲＡＢが位置されるセルの変更されたセルアイデンティティー及び／又はＴＡＩ及び／又はベアラアイデンティティーをＭＭＥに送信し、ＭＭＥはベアラが位置されるセルの変更されたセルアイデンティティー及び／又はＴＡＩ及び／又はベアラアイデンティティーをＳＧＷ／ＰＧＷに送信する。
【００８６】
本発明のセルアイデンティティーはＥＣＧＩ(Ｅ-ＵＴＲＡＮ Ｃｅｌｌ Ｇｌｏｂａｌ Ｉｄｅｎｔｉｆｉｅｒ)であることがある。
【００８７】
図６に与えられた処理方法により、ネットワークは課金及び位置指定がさらに適切でかつ正確に行われることを保証するようにＥＲＡＢに基づく課金及び位置指定を行うことができる。
【００８８】
図は、本発明によって小型セルシステムにおけるＵＥの課金及び位置指定のための方法２の概路図である。方法は次の段階を含む。
【００８９】
段階７０１で、マスター基地局は、ＵＥの２次基地局でのｐＳｃｅｌｌのセルアイデンティティー及びＴＡＩと、２次基地局でのベアラのベアラアイデンティティーを送信する。複数のベアラがある場合、複数のベアラアイデンティティーはＭＭＥに送信され、すなわち、ベアラが２次基地局にあることをＭＭＥに通知し、２次基地局のｐＳｃｅｌｌのセルアイデンティティー及びＴＡＩはＭＭＥに送信される。マスター基地局は既存のメッセージを介してマスター基地局の１次セルのセルアイデンティティー及び／又はＴＡＩをＭＭＥに送信することができる。マスター基地局はＳｅＮＢでのｐＳｃｅｌｌのセルアイデンティティー及び／又はＴＡＩをＭＭＥに送信することができる。ＥＲＡＢ設定リストは、各設定ＥＲＡＢに対する情報、例えば、ＥＲＡＢが位置されるセルのＥＲＡＢアイデンティティー、及び／又はセルアイデンティティー及び／又はＴＡＩを含む。
【００９０】
ＳｅＮＢがｐＳｃｅｌｌを選択する状況で、ＳｅＮＢは選択されたｐＳｃｅｌｌのセルアイデンティティーをマスター基地局に送信する。
【００９１】
段階７０２で、ＭＭＥはＳｅＮＢでのｐＳｃｅｌｌのセルアイデンティティー及び／又はＴＡＩをＳＧＷ／ＰＧＷに送信する。ＭＭＥは各ベアラが位置されるセルアイデンティティー及び／又はＴＡＩ及び／又はベアラアイデンティティーをＳＧＷ／ＰＧＷに送信することができる。
【００９２】
どんなＥＲＡＢがマスター基地局と２次基地局の間にハンドオーバーされる場合、マスター基地局はベアラが属するターゲットセルのセルアイデンティティー及び／又はＴＡＩ及び／又はベアラアイデンティティーをＭＭＥに送信し、ＭＭＥはベアラが属するターゲットセルのセルアイデンティティー及び／又はＴＡＩ及び／又はベアラアイデンティティーをＳＧＷ／ＰＧＷに送信する。
【００９３】
本発明のセルアイデンティティーはＥＣＧＩであることがある。
【００９４】
図７に与えられた処理方法により、ネットワークは課金及び位置指定がさらに適切でかつ正確に行われることを保証するようにＥＲＡＢに基づく課金及び位置指定を行うことができる。
【００９５】
本発明によって小型セルシステムにおけるＵＥの課金及び位置指定のための第３方法はマスター基地局の１次セルによって課金及び位置指定を行う。方法は次の段階を含む。
【００９６】
マスター基地局はマスター基地局の１次セルのセルアイデンティティー及びＴＡＩをＭＭＥに送信する。ＭＭＥはマスター基地局の１次セルのセルアイデンティティー及び／又はＴＡＩをＳＧＷ／ＰＧＷに送信する。
【００９７】
上述したことはただ本発明の好ましい実施形態で、本発明を制限するように意図されないことに理解されるべきである。本発明の思想及び原理を外れず任意の修正、均等代替及び改善はした発明の保護範囲内でカバーされなければならない。
【符号の説明】
【００９８】
１０１  ユーザ装置(ＵＥ)
１０２  進化されたユニバーサル地上波無線アクセスネットワーク(ｅｖｏｌｖｅｄ ｕｎｉｖｅｒｓａｌ ｔｅｒｒｅｓｔｒｉａｌ ｒａｄｉｏ ａｃｃｅｓｓ ｎｅｔｗｏｒｋ；Ｅ-ＵＴＲＡＮ)
１０３  移動性管理エンティティー(ｍｏｂｉｌｉｔｙ ｍａｎａｇｅｍｅｎｔｅｎｔｉｔｙ；ＭＭＥ)
１０４  サービングゲートウェイ(ｓｅｒｖｉｎｇ ｇａｔｅｗａｙ；ＳＧＷ)
１０５  パケットデータネットワークゲートウェイ(ｐａｃｋｅｔ ｄａｔａ ｎｅｔｗｏｒｋ ｇａｔｅｗａｙ；ＰＧＷ)
１０６  政策及び課金規則機能(ｐｏｌｉｃｙ ａｎｄ ｃｈａｒｇｉｎｇ ｒｕｌｅｓ ｆｕｎｃｔｉｏｎ；ＰＣＲＦ)
１０８  サービングＧＰＲＳサポートノード(ｓｅｒｖｉｎｇＧＰＲＳ ｓｕｐｐｏｒｔ ｎｏｄｅ；ＳＧＳＮ)
１０９  ＨＳＳ(ｈｏｍｅ ｓｕｂ ｓｃｒｉｂｅｒ ｓｅｒｖｅｒ)
【図１】
0006588448.tif 000002
【図２】
0006588448.tif 000003
【図３】
0006588448.tif 000004
【図４】
0006588448.tif 000005
【図５】
0006588448.tif 000006
【図６】
0006588448.tif 000007
【図７】
0006588448.tif 000008